(57)【要約】【課題】オートバウンス制御の実行時におけるユーザの利便性の低下を防止することができる自動照射方向制御方法を提供する。【解決手段】ストロボヘッド部２００ｂの照射方向を変更することができる外部ストロボ１２０を備え、さらに各種スイッチを備え、被写体の測距結果に基づいて決定されたバウンス角度へストロボヘッド部２００ｂを駆動するオートバウンス駆動制御処理を実行するカメラ１００は、オートバウンス駆動制御に関連しないスイッチが操作された場合、オートバウンス駆動制御処理の実行を継続し、オートバウンス駆動制御に関連するスイッチが操作された場合、実行中のオートバウンス駆動制御処理を中断して当該スイッチに対応する制御を実行する。【選択図】図１１
2018072425.tif 000002
【特許請求の範囲】
【請求項１】
発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置であって、
前記オートバウンス制御に関連しないスイッチが操作された場合は、前記スイッチの操作に関連する制御及び前記オートバウンス制御のうち、前記オートバウンス制御の実行を優先し、
前記オートバウンス制御に関連するスイッチが操作された場合は、前記スイッチの操作に関連する制御及び前記オートバウンス制御のうち、前記スイッチの操作に関連する制御の実行を優先することを特徴とする撮像装置。
【請求項２】
前記オートバウンス制御に関連しないスイッチが操作された場合は、前記スイッチの操作を無効として前記スイッチの操作に関連する制御を実行しないことを特徴とする請求項１記載の撮像装置。
【請求項３】
前記オートバウンス制御に関連しないスイッチが操作された場合は、前記スイッチの操作が禁止されている旨を通知することを特徴とする請求項１又は２記載の撮像装置。
【請求項４】
前記オートバウンス制御に関連するスイッチは、前記オートバウンス制御の実行を中断させるためのスイッチであることを特徴とする請求項１乃至３のいずれか１項に記載の撮像装置。
【請求項５】
前記オートバウンス制御に関連するスイッチは、少なくともオートバウンスモード切り替えスイッチ、オートバウンス開始スイッチ及び照明装置電源スイッチのいずれかを含むことを特徴とする請求項１乃至４のいずれか１項に記載の撮像装置。
【請求項６】
発光部の照射方向を変更することができる照明装置と、撮像装置と、前記照明装置及び前記撮像装置の少なくとも一方が有する各種スイッチとを備え、対象物の測距結果に基づいて最適な前記発光部の照射方向を決定し、該決定された照射方向へ前記発光部を駆動するオートバウンス制御を実行する撮像システムであって、
前記オートバウンス制御に関連しないスイッチが操作された場合は、前記スイッチの操作に関連する制御及び前記オートバウンス制御のうち、前記オートバウンス制御の実行を優先し、
前記オートバウンス制御に関連するスイッチが操作された場合は、前記スイッチの操作に関連する制御及び前記オートバウンス制御のうち、前記スイッチの操作に関連する制御の実行を優先することを特徴とする撮像システム。
【請求項７】
発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置における自動照射方向制御方法であって、
前記オートバウンス制御に関連しないスイッチが操作された場合は、前記スイッチの操作に関連する制御及び前記オートバウンス制御のうち、前記オートバウンス制御の実行を優先し、
前記オートバウンス制御に関連するスイッチが操作された場合は、前記スイッチの操作に関連する制御及び前記オートバウンス制御のうち、前記スイッチの操作に関連する制御の実行を優先することを特徴とする自動照射方向制御方法。
【請求項８】
発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置における自動照射方向制御方法をコンピュータに実行させるプログラムであって、
前記自動照射方向制御方法は、
前記オートバウンス制御に関連しないスイッチが操作された場合は、前記スイッチの操作に関連する制御及び前記オートバウンス制御のうち、前記オートバウンス制御の実行を優先し、
前記オートバウンス制御に関連するスイッチが操作された場合は、前記スイッチの操作に関連する制御及び前記オートバウンス制御のうち、前記スイッチの操作に関連する制御の実行を優先することを特徴とするプログラム。
【発明の詳細な説明】
【技術分野】
【０００１】
本発明は、撮像装置、撮像システム、自動照射方向制御方法及びプログラムに関する。
【背景技術】
【０００２】
ストロボ装置が取り付けられたカメラ（撮像装置）による撮影方法として、ストロボ光を天井等に向けて照射し、天井等からの拡散反射光を被写体に照射するバウンスストロボ撮影という撮影方法が知られている。バウンスストロボ撮影では被写体を間接的に照明することができるため、柔らかい光での被写体の撮影が可能となる。
【０００３】
バウンスストロボ撮影に関して、ユーザ（撮影者）がストロボ光の照射角度（バウンス角度）を設定することなく、自動的に最適なバウンス撮影を可能とするための技術として、オートバウンス制御技術が実用化されている。オートバウンス制御では、ストロボ装置を用いたプリ発光やレーダ照射等により、被写体からの反射光及び天井からの反射光をストロボ装置の受光センサで測定する。そして、得られた測定値に基づいて、被写体を柔らかい光で撮影できるように最適なバウンス角度を決定し、ストロボ発光部のヘッド角度が決定されたバウンス角度となるようにストロボ装置のストロボ発光部を駆動する。
【０００４】
特に、近年では、オートバウンス制御処理を実行する際にストロボ装置の使い勝手を向上するための技術が提案されている。例えば、バウンスストロボ撮影時に、天井へストロボ光を照射するときのストロボ発光部の角度を、カメラ本体から天井までの距離及びカメラ本体から被写体までの距離に基づいて自動的に設定することができる技術が提案されている（例えば、特許文献１参照）。
【０００５】
ところで、上述した特許文献１に係るオートバウンス制御では、カメラ本体から天井や被写体までの距離の測定（測距）を行う必要がある。したがって、測距精度低下防止の観点から、オートバウンス制御の実行中にカメラやストロボ装置に振動を生じさせるような操作、例えば、カメラやストロボ装置に設けられたスイッチの操作を避ける必要がある。そこで、オートバウンス制御の実行中はカメラやストロボ装置に設けられたスイッチの操作を全て禁止することが考えられる。
【先行技術文献】
【特許文献】
【０００６】
【特許文献１】特開平０４−３４０５２７号公報
【発明の概要】
【発明が解決しようとする課題】
【０００７】
しかしながら、カメラやストロボ装置に設けられたスイッチの操作を全て禁止すると、例えば、ストロボ装置の電源スイッチの操作等の実行中のオートバウンス制御を中断して新たなオートバウンス制御をやり直すための操作を行うことができない。その結果、ユーザは新たなオートバウンス制御をやり直すために、実行中のオートバウンス制御が終了するのを待つ必要があり、オートバウンス制御の実行時におけるユーザの利便性が低下するという問題がある。
【０００８】
本発明の目的は、オートバウンス制御の実行時におけるユーザの利便性の低下を防止することができる撮像装置、撮像システム、自動照射方向制御方法及びプログラムを提供することにある。
【課題を解決するための手段】
【０００９】
上記目的を達成するために、本発明の撮像装置は、発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置であって、前記オートバウンス制御に関連しないスイッチが操作された場合は、前記スイッチの操作に関連する制御及び前記オートバウンス制御のうち、前記オートバウンス制御の実行を優先し、前記オートバウンス制御に関連するスイッチが操作された場合は、前記スイッチの操作に関連する制御及び前記オートバウンス制御のうち、前記スイッチの操作に関連する制御の実行を優先することを特徴とする。
【００１０】
上記目的を達成するために、本発明の撮像システムは、発光部の照射方向を変更することができる照明装置と、撮像装置と、前記照明装置及び前記撮像装置の少なくとも一方が有する各種スイッチとを備え、対象物の測距結果に基づいて最適な前記発光部の照射方向を決定し、該決定された照射方向へ前記発光部を駆動するオートバウンス制御を実行する撮像システムであって、前記オートバウンス制御に関連しないスイッチが操作された場合は、前記スイッチの操作に関連する制御及び前記オートバウンス制御のうち、前記オートバウンス制御の実行を優先し、前記オートバウンス制御に関連するスイッチが操作された場合は、前記スイッチの操作に関連する制御及び前記オートバウンス制御のうち、前記スイッチの操作に関連する制御の実行を優先することを特徴とする。
【００１１】
上記目的を達成するために、本発明の自動照射方向制御方法は、発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置における自動照射方向制御方法であって、前記オートバウンス制御に関連しないスイッチが操作された場合は、前記スイッチの操作に関連する制御及び前記オートバウンス制御のうち、前記オートバウンス制御の実行を優先し、前記オートバウンス制御に関連するスイッチが操作された場合は、前記スイッチの操作に関連する制御及び前記オートバウンス制御のうち、前記スイッチの操作に関連する制御の実行を優先することを特徴とする。
【００１２】
上記目的を達成するために、本発明のプログラムは、発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス制御を実行する撮像装置における自動照射方向制御方法をコンピュータに実行させるプログラムであって、前記自動照射方向制御方法は、前記オートバウンス制御に関連しないスイッチが操作された場合は、前記スイッチの操作に関連する制御及び前記オートバウンス制御のうち、前記オートバウンス制御の実行を優先し、前記オートバウンス制御に関連するスイッチが操作された場合は、前記スイッチの操作に関連する制御及び前記オートバウンス制御のうち、前記スイッチの操作に関連する制御の実行を優先することを特徴とする。
【発明の効果】
【００１３】
本発明によれば、オートバウンス制御の実行時におけるユーザの利便性の低下を防止することができる。
【図面の簡単な説明】
【００１４】
【図１】本発明の実施の形態に係る撮像システムに含まれる撮像装置としてのカメラの構成を概略的に示す斜視図である。
【図２】本発明の実施の形態に係る撮像システムに含まれる撮像装置としてのカメラの構成を概略的に示すブロック図である。
【図３】図２における外部ストロボの構成を概略的に示す図である。
【図４】図２における外部ストロボの構成を概略的に示すブロック図である。
【図５】図１のカメラが実行する撮影前処理を示すフローチャートである。
【図６】図１のカメラが実行する撮影処理を示すフローチャートである。
【図７】図３の外部ストロボが実行するストロボ制御処理を示すフローチャートである。
【図８】図７のステップＳ７０４，Ｓ７０６，Ｓ７０９で実行されるオートバウンス駆動制御処理を示すフローチャートである。
【図９】目標バウンス角度設定処理を示すフローチャートである。
【図１０】図７のステップＳ７１４，Ｓ７１５及び図９のステップＳ９０５で実行されるバウンス復帰駆動処理を示すフローチャートである。
【図１１】本実施の形態に係る撮像装置における自動照射方向制御方法としてのオートバウンス中断制御処理を示すフローチャートである。
【発明を実施するための形態】
【００１５】
以下、本発明の実施の形態について図面を参照しながら詳細に説明する。しかしながら、以下の実施の形態に記載されている構成はあくまで例示に過ぎず、本発明の範囲は実施の形態に記載されている構成によって限定されることはない。
【００１６】
図１は、本発明の実施の形態に係る撮像システムに含まれる撮像装置としてのカメラの構成を概略的に示す斜視図である。図２は、本発明の実施の形態に係る撮像システムに含まれる撮像装置としてのカメラの構成を概略的に示すブロック図である。
【００１７】
図１において、カメラ１００は、本体１１の上部に設けられたレリーズボタン１２と、本体１１の被写体側に設けられ、撮影光学系であるレンズ（不図示）が取り付けられるレンズマウント接点１３とを備える。さらに、カメラ１００は、本体１１の被写体側においてレンズマウント接点１３の脇に設けられる絞り込み開始ボタン１４と、本体１１の上部に設けられたアクセサリシュー１５とを備える。
【００１８】
図２において、カメラ１００は、不図示の撮影光学系、カメラＭＰＵ１０１、タイミング信号発生回路１０２、撮像素子１０３、Ａ／Ｄ変換器１０４、メモリコントローラ１０５、バッファメモリ１０６、画像表示部１０７及び記録媒体Ｉ／Ｆ１０８を備える。記録媒体Ｉ／Ｆ１０８には、記録媒体１０９が接続される。
【００１９】
カメラＭＰＵ１０１は、撮影シーケンスの他、カメラ１００の全体的な動作を制御するマイクロコントローラである。撮像素子１０３は、ＣＣＤセンサやＣＭＯＳセンサ等のイメージセンサであり、撮影光学系を通して結像した被写体（対象物）の光学像を電気信号に変換する。タイミング信号発生回路１０２は、撮像素子１０３を動作させるために必要なタイミング信号を発生する。Ａ／Ｄ変換器１０４は、撮像素子１０３から出力されたアナログ信号をデジタル信号に変換し、変換したデジタル信号にホワイトバランス処理等の所定の画像処理を施して画像データを生成する。メモリコントローラ１０５は、バッファメモリ１０６の読み書きやリフレッシュ動作等を制御する。バッファメモリ１０６は、Ａ／Ｄ変換器１０４から出力された画像データを一時的に記憶し、また、記録媒体１０９から読み出した画像データを一時的に記憶する。画像表示部１０７は、バッファメモリ１０６に蓄えられた画像データを画像として表示する。記録媒体Ｉ／Ｆ１０８は、記録媒体１０９及びカメラＭＰＵ１０１の間の通信を可能にするためのインタフェースである。記録媒体１０９は、例えば、メモリカードやハードディスクであり、カメラ１００に内蔵されていてもよく、カメラ１００に対して着脱自在であってもよい。
【００２０】
また、カメラ１００は、モータ制御部１１０、シャッター制御部１１１、測光部１１２、レンズ制御部１１４、焦点検出部１１５、姿勢検出部１１６、スイッチ操作部１１７及びストロボ制御部１１８を備え、これらはカメラＭＰＵ１０１に接続されている。測光部１１２には多分割測光センサ１１３が接続される。ストロボ制御部１１８にはカメラ１００が内蔵する内部ストロボ装置（以下、「内部ストロボ」と略す）１１９と、カメラ１００に装着される外部ストロボ装置（以下、「外部ストロボ」と略す）１２０とが接続されている。
【００２１】
モータ制御部１１０は、カメラＭＰＵ１０１からの信号に従って露出時に不図示のモータを制御することにより、不図示のミラーのアップ／ダウンや不図示のシャッターのチャージを行う。シャッター制御部１１１は、カメラＭＰＵ１０１からの信号に従って、不図示のシャッター先幕とシャッター後幕の通電をカットし、幕走行させることで露出動作を制御する。測光部１１２は、撮影画面内を複数のエリアに分割する多分割測光センサ１１３から各エリアの輝度信号をカメラＭＰＵ１０１に出力する。カメラＭＰＵ１０１は、測光部１１２から受信した輝度信号を不図示のＡ／Ｄ変換器でデジタルデータに変換し、変換されたデジタルデータを用いて露出調節のためのＡＶ（絞り値）、ＴＶ（シャッタースピード）、ＩＳＯ（撮影感度）等のパラメータを算出する。また、測光部１１２は、内部ストロボ１１９や外部ストロボ１２０から被写体へ向けて予備（プリ）発光を行ったときに得られる輝度信号をカメラＭＰＵ１０１に出力する。カメラＭＰＵ１０１は、測光部１１２から受信した輝度信号に基づき、露出時のストロボメイン発光量を算出する。レンズ制御部１１４は、レンズマウント接点１３を介してカメラＭＰＵ１０１と通信し、不図示のレンズ駆動モータ及びレンズ絞りモータを動作させ、撮影光学系を構成する不図示のレンズの焦点調節と絞りを制御する。焦点検出部１１５は、ＡＦ（オートフォーカス）のための被写体に対するデフォーカス量を検出する。姿勢検出部１１６は、重力方向と撮影光軸のそれぞれを中心とするカメラ１００の回転角（傾き）を検出する。
【００２２】
スイッチ操作部１１７は、カメラ１００に設けられた操作部材であり、例えば、スイッチＳＷ１及びスイッチＳＷ２を有する。スイッチＳＷ１はレリーズボタン１２の第１ストロークでオンするレリーズ準備ボタンとして機能する。スイッチＳＷ１の押下により、カメラＭＰＵ１０１はＡＦ及び測光を開始し、外部ストロボ１２０の自動照射方向制御（以下、「オートバウンス制御」という）を開始する。つまり、スイッチＳＷ１は、オートバウンス開始スイッチとしても機能する。スイッチＳＷ２は、レリーズボタンの第２ストロークでオンし、これに応じてカメラＭＰＵ１０１は、露出動作を開始する。また、絞り込み開始ボタン１４の押下によっても、カメラ１００は外部ストロボ１２０のオートバウンス制御を開始する。なお、カメラ１００に外部ストロボ１２０が装着されていない場合、絞り込み開始ボタン１４の押下により、カメラ１００は絞り制御を開始する。外部ストロボ１２０は、カメラＭＰＵ１０１からオートバウンス制御開始の信号を受信すると、後述のストロボヘッド部２００ｂ（図４参照）の発光部２０２の照射方向を所定の角度へ自動に変更する。
【００２３】
また、スイッチ操作部１１７は、スイッチＳＷ１，ＳＷ２以外の種々のスイッチやボタンを備え、それらのスイッチやボタンからの信号はカメラＭＰＵ１０１に送られ、カメラＭＰＵ１０１は、各スイッチと各ボタンに割り当てられた動作を実行する。ストロボ制御部１１８は、内部ストロボ１１９や外部ストロボ１２０に対して発光パターン（プリ発光、メイン発光）の指示と、メイン発光量による発光等の指示を行う。カメラＭＰＵ１０１と外部ストロボ１２０との通信は、カメラ１００のストロボ制御部１１８と外部ストロボ１２０における後述のカメラ接続部２０８とを介して行われる（図４参照）。
【００２４】
図３は、図２における外部ストロボの構成を概略的に示す図であり、図３（Ａ）は平面図であり、図３（Ｂ）は側面図であり、図３（Ｃ）は背面図である。図４は、図２における外部ストロボの構成を概略的に示すブロック図である。
【００２５】
図３（Ａ）乃至図３（Ｃ）において、外部ストロボ１２０は、ストロボ本体部２００ａと該ストロボ本体部２００ａに対して回動可能なストロボヘッド部２００ｂ（発光部）とを有する。ストロボヘッド部２００ｂはストロボ本体部２００ａに対し、図中Ｘ軸回りに回動可能であり、さらに、図中Ｙ軸回りに回動可能である。本実施の形態では、Ｘ軸回りのストロボヘッド部２００ｂの回転角θＡやＹ軸回りストロボヘッド部２００ｂの回転角θＢをバウンス角度と称する。外部ストロボ１２０は、後述のカメラ接続部２０８をカメラ１００のアクセサリシュー１５へ係合させることにより、カメラ１００へ装着される。
【００２６】
図４において、ストロボ本体部２００ａは、ストロボＭＰＵ２０１、ヘッド駆動制御部２０４、姿勢検出部２０５、バウンス角度演算部２０６、ストロボスイッチ操作部２０７及びカメラ接続部２０８を備える。ストロボヘッド部２００ｂは、発光部２０２及び測距用測光部２０３を備える。
【００２７】
ストロボＭＰＵ２０１は、発光制御シーケンスやストロボヘッド部２００ｂのバウンス角度の決定等の他、外部ストロボ１２０の全体的な動作を制御するマイクロコントローラである。発光部２０２は、ストロボＭＰＵ２０１から出力された発光信号に従ってストロボ光を発光する不図示のストロボ発光回路を有する。測距用測光部２０３は、発光部２０２から照射されたストロボ光が測距対象に反射することで得られる反射光を受光する不図示の測距用測光センサを有し、測距用測光センサからの出力である輝度信号をストロボＭＰＵ２０１へ送信する。ストロボＭＰＵ２０１は、測距用測光部２０３から受信した輝度信号を不図示のＡ／Ｄ変換器によりデジタルデータに変換し、変換したデジタルデータに基づいて測距対象までの距離を算出する。ヘッド駆動制御部２０４は、ストロボＭＰＵ２０１からの制御信号に従って、不図示のモータを駆動制御することにより、ストロボヘッド部２００ｂをストロボ本体部２００ａに対し、図３中のＸ軸回り、若しくは、図３中のＹ軸回りに回動させる。また、ヘッド駆動制御部２０４は、ストロボヘッド部２００ｂの駆動量を検出し、得られた検出結果をストロボ本体部２００ａに対する相対位置情報としてストロボＭＰＵ２０１に送信する。姿勢検出部２０５は、重力方向と撮影光軸のそれぞれを中心とするストロボ本体部２００ａの回転角（傾き）を検出し、該傾きを電気信号としてストロボＭＰＵ２０１に送信する。
【００２８】
バウンス角度演算部２０６は、測距用測光部２０３が算出した測距対象までの距離（測距結果）と姿勢検出部２０５が取得したストロボ本体部２００ａの傾きに基づき、最適なバウンス角度（照射方向）を算出する。また、バウンス角度演算部２０６は、算出した最適なバウンス角度を電気信号としてストロボＭＰＵ２０１に送信する。カメラ接続部２０８は、カメラ１００のアクセサリシュー１５と係合（接続）され、カメラＭＰＵ１０１及びストロボＭＰＵ２０１は、ストロボ制御部１１８及びカメラ接続部２０８を介して必要な通信を行う。
【００２９】
ストロボスイッチ操作部２０７は、オートバウンスモード切り替えスイッチ４０１、バウンス角度設定スイッチ４０２及びバウンス角度クリアスイッチ４０３を有する。また、ストロボスイッチ操作部２０７は、オートバウンス開始スイッチ４０４、ストロボ電源スイッチ４０５（照明装置電源スイッチ）、テスト発光ボタン４０６及びダイヤルスイッチ４０７を有する。オートバウンスモード切り替えスイッチ４０１乃至テスト発光ボタン４０６はストロボ本体部２００ａの背面に設けられる。また、ダイヤルスイッチ４０７もストロボ本体部２００ａの背面に設けられ、調光補正設定スイッチやズーム設定スイッチを兼ねる。ダイヤルスイッチ４０７によって選択されたスイッチの種類はストロボ本体部２００ａの背面に設けられたディスプレイ４０８に表示される。
【００３０】
オートバウンスモード切り替えスイッチ４０１は、オートバウンス制御のモードの切り換えを行うためのスイッチである。本実施の形態では、オートバウンス制御のモードとして、最適なバウンス角度を決定し、さらに当該バウンス角度へ向けてストロボヘッド部２００ｂを自動で駆動するオートバウンスフルモード（以下、「ＡＩＢ−Ｆモード」という）を設定することができる。さらに、ユーザが設定したヘッド角度へ向けてストロボヘッド部２００ｂを自動で駆動するオートバウンスサブモード（以下、「ＡＩＢ−Ｓ」という）を設定することができる。バウンス角度設定スイッチ４０２は、現在のストロボヘッド部２００ｂのヘッド角度をＭＰＵ２０１が設定角度として記憶するためのスイッチである。バウンス角度クリアスイッチ４０３は、ストロボヘッド部２００ｂをデフォルト位置としての正面へ向けて駆動するためのスイッチである。オートバウンス開始スイッチ４０４は、実行中のオートバウンス制御を中断して新たなオートバウンス制御をやり直すためのスイッチである。ストロボ電源スイッチ４０５は、外部ストロボ１２０の電源をオン／オフするためのレバー式のスイッチである。テスト発光ボタン４０６は、発光部２０２にテスト光としてのストロボ光を発光させるためのスイッチである。
【００３１】
本実施の形態では、オートバウンス制御のモードがＡＩＢ−Ｆモードに設定され、且つカメラ１００の絞り込み開始ボタン１４が押下されると、カメラＭＰＵ１０１からオートバウンス駆動指示がストロボＭＰＵ２０１に送信される。その後、ＭＰＵ２０１は測距を行うために最適なヘッド角度へ向けてストロボヘッド部２００ｂを駆動させる。オートバウンス制御のモードがＡＩＢ−Ｆモード又はＡＩＢ−Ｓモードに設定され、且つカメラ１００のスイッチ操作部１１７におけるＳＷ１が操作されると、カメラＭＰＵ１０１から設定角度駆動指示がストロボＭＰＵ２０１に送信される。このとき、ＭＰＵ２０１は後述のステップＳ７０８で算出されたバウンス角度又はユーザが設定したヘッド角度と現在のヘッド角度との差を検出する。当該差が所定角以上である場合、後述のステップＳ７０８で算出されたバウンス角度又はユーザが設定したヘッド角度へ向けてストロボヘッド部２００ｂを駆動させる。ストロボスイッチ操作部２０７の各スイッチ及び各ボタンからの信号はストロボＭＰＵ２０１に送られる。ストロボＭＰＵ２０１は、各スイッチ及び各ボタンに割り当てられた動作を実行する。なお、ディスプレイ４０８には、外部ストロボ１２０の設定状態等も表示される。
【００３２】
図５は、図１のカメラが実行する撮影前処理を示すフローチャートである。
【００３３】
図５において、まず、カメラＭＰＵ１０１が絞り込み開始ボタン１４の押下状態を検知し（ステップＳ５０１）、絞り込み開始ボタン１４が押下されている場合、ステップＳ５０２に進む。絞り込み開始ボタン１４が押下されていない場合、ステップＳ５０１に戻る。続くステップＳ５０２において、カメラＭＰＵ１０１は、後述するステップＳ７０２においてストロボＭＰＵ２０１からカメラＭＰＵ１０１へ通知されたオートバウンス制御のモードがＡＩＢ−Ｆモードか又はＡＩＢ−Ｓモードかを判別する。通知されたオートバウンス制御のモードがＡＩＢ−Ｆモードである場合、カメラＭＰＵ１０１はオートバウンス駆動指示をストロボＭＰＵ２０１に送信し（ステップＳ５０３）、ステップＳ５０５へ進む。通知されたオートバウンス制御のモードがＡＩＢ−Ｓモードである場合、カメラ１００はＡＶ、ＴＶ、ＩＳＯ等のパラメータを算出する（ステップＳ５０４）。その後、算出されたＡＶに基づき、不図示のレンズ絞りモータを動作させて絞りの調整も行い、本処理を終了する。ステップＳ５０５において、カメラＭＰＵ１０１は、ストロボＭＰＵ２０１からオートバウンス駆動終了の通知を受信したか否かを判別し、受信していない場合、ステップＳ５０５に戻り、受信した場合、本処理を終了する。
【００３４】
図６は、図１のカメラが実行する撮影処理を示すフローチャートである。図６の処理は図５の処理の実行後に実行される。
【００３５】
図６において、まず、カメラＭＰＵ１０１がＳＷ１の操作状態を検知し（ステップＳ６０１）、ＳＷ１がオンである場合、ステップＳ６０２に進み、ＳＷ１がオンでない場合、ステップＳ６０１に戻る。次いで、カメラＭＰＵ１０１は、設定角度駆動指示をストロボＭＰＵ２０１へ送信し（ステップＳ６０２）、さらに、測光部１１２やレンズ制御部１１４によってＡＦ及び測光を開始し、ＡＶ、ＴＶ、ＩＳＯ等のパラメータを算出する（ステップＳ６０３）。続いて、カメラＭＰＵ１０１がＳＷ２の操作状態を検知し（ステップＳ６０４）、ＳＷ２がオンである場合、ステップＳ６０５に進み、ＳＷ２がオンでない場合、ステップＳ６０４に戻る。次いで、カメラＭＰＵ１０１は、ＳＷ２がオンとなってから撮影が開始されるまでの時間Ｔｓ及び撮影が終了されるまでの時間ＴｅをストロボＭＰＵ２０１へ送信する（ステップＳ６０５）。換言すると、時間ＴｓはＳＷ２がオンとなってからシャッター先幕の走行を開始するまでの時間であり、時間Ｔｅは時間ＴｓにＴＶを加算することによって算出される。続いて、カメラＭＰＵ１０１は、外部ストロボ１２０の充電が完了したか否かを判別する（ステップＳ６０６）。具体的には、ストロボＭＰＵ２０１からストロボ充完通知を受信したか否かを判別する。外部ストロボ１２０の充電が完了している場合、カメラ１００は被写体を撮影するとともに、カメラＭＰＵ１０１はストロボの発光制御を行う（ステップＳ６０７）。ストロボの発光制御では、カメラＭＰＵ１０１がストロボ制御部１１８に対して予備（プリ）発光を指示する。次いで、ストロボ制御部１１８はストロボＭＰＵ２０１へ所定の光量でのプリ発光を指示し、外部ストロボ１２０はプリ発光としてのストロボ発光を開始する。ＭＰＵ１０１は、プリ発光の反射光から取得された輝度信号に基づいて露出時のメイン発光時の光量を算出し、ストロボ制御部１１８に対してメイン発光を指示する。次いで、ストロボ制御部１１８はストロボＭＰＵ２０１へ算出された光量でのメイン発光を指示し、外部ストロボ１２０はメイン発光としてのストロボ発光を開始する。カメラＭＰＵ１０１は、メイン発光に同期し、所定の露出値（ＡＶ等）を用いて露出動作を行い、露出動作の終了後、撮影された被写体の画像データを画像表示部１０７に表示し、さらに当該画像データを記録媒体１０９に記録させ、本処理を終了する。外部ストロボ１２０の充電が完了していない場合、カメラ１００は外部ストロボ１２０を発光させることなく被写体を撮影する（ステップＳ６０８）。このとき、カメラＭＰＵ１０１は、所定の露出値（ＡＶ等）を用いて露出動作を行い、露出動作の終了後、撮影された被写体の画像データを画像表示部１０７に表示し、さらに当該画像データを記録媒体１０９に記録させ、本処理を終了する。
【００３６】
なお、図５の処理や図６の処理では、絞り込み開始ボタン１４の押下やＳＷ１がオンであることを起点にオートバウンス制御を実行しているが、オートバウンス開始スイッチ４０４の押下を起点にオートバウンス制御を実行してもよい。
【００３７】
図７は、図３の外部ストロボが実行するストロボ制御処理を示すフローチャートである。
【００３８】
図７において、まず、姿勢検出部２０５は、重力方向と撮影光軸のそれぞれを中心とするストロボ本体部２００ａの傾きを検出する（ステップＳ７０１）。次いで、ストロボＭＰＵ２０１はカメラＭＰＵ１０１へ現在設定されているオートバウンス制御のモードを通知する。例えば、オートバウンスモード切り替えスイッチ４０１においてＡＩＢ−Ｆモードが設定されている場合、ＡＩＢ−Ｆモードが設定されている旨を通知する。また、オートバウンスモード切り替えスイッチ４０１においてＡＩＢ−Ｓモードが設定されている場合、ＡＩＢ−Ｓモードが設定されている旨を通知する（ステップＳ７０２）。次いで、ストロボＭＰＵ２０１はカメラＭＰＵ１０１からオートバウンス駆動指示を受信したか否かを判別する（ステップＳ７０３）。オートバウンス駆動指示を受信した場合、ステップＳ７０４に進み、設定角度駆動指示を受信した場合、若しくは、駆動指示を受信していない場合、ステップＳ７１１に進む。
【００３９】
ステップＳ７０４では、ストロボＭＰＵ２０１は、ストロボヘッド部２００ｂを天井（対象物）へ向けて駆動するオートバウンス駆動制御処理を実行し、天井を指向するストロボヘッド部２００ｂはプリ発光を行う（ステップＳ７０５）。このとき、測距用測光部２０３は天井からの反射光を受光して輝度信号をストロボＭＰＵ２０１へ送信し、ストロボＭＰＵ２０１は、当該輝度信号に基づいて天井までの距離を算出する。次いで、ストロボＭＰＵ２０１は、ストロボヘッド部２００ｂを被写体へ向けて駆動するオートバウンス駆動制御処理を実行し（ステップＳ７０６）、被写体を指向するストロボヘッド部２００ｂはプリ発光を行う（ステップＳ７０７）。このとき、測距用測光部２０３は被写体からの反射光を受光して輝度信号をストロボＭＰＵ２０１へ送信し、ストロボＭＰＵ２０１は、当該輝度信号に基づいて被写体までの距離を算出する。なお、ステップＳ７０４，Ｓ７０６で実行されるオートバウンス駆動制御の詳細は後述するが、ステップＳ７０４，Ｓ７０６における駆動角度はストロボ本体部２００ａの傾きに基づいて算出される。例えば、ステップＳ７０４では、重力方向に対する初期のヘッド角度がＸ度であり、撮影光軸に対する初期のヘッド角度が０度である場合、駆動角度は、ストロボ本体部２００ａに対し、垂直方向に関して９０−Ｘ度、且つ水平方向に関して０度となる。ステップＳ７０６では、被写体の方向が撮影光軸と合致するため、駆動角度は、ストロボ本体部２００ａに対し、垂直方向に関して０度、且つ水平方向に関して０度となる。なお、ステップＳ７０４及びステップＳ７０６の実行順は逆であってもよい。
【００４０】
次いで、算出された天井までの距離及び被写体までの距離に基づいて最適なバウンス角度を算出する（ステップＳ７０８）。最適なバウンス角度を算出する際、ストロボ本体部２００ａの傾きが加味される。続くステップＳ７０９では、ストロボＭＰＵ２０１が、ストロボヘッド部２００ｂを最適なバウンス角度へ向けて駆動するオートバウンス駆動制御処理を実行する。その後、オートバウンス駆動終了の通知をカメラＭＰＵ１０１へ送信し（ステップＳ７１０）、ステップＳ７０１へ戻る。
【００４１】
ステップＳ７１１では、ストロボＭＰＵ２０１がカメラＭＰＵ１０１から設定角度駆動指示を受信したか否かを判別する。設定角度駆動指示を受信した場合、ステップＳ７１２に進み、設定角度駆動指示を受信していない場合、ステップＳ７１７に進む。ステップＳ７１２では、例え、外部ストロボ１２０が充完状態（充電電圧が発光可能なレベル以上に到達した状態）であっても、カメラ１００にステップＳ６０７のストロボ発光制御を行わせないように、カメラＭＰＵ１０１へストロボ未充完通知を送信する。ストロボ未充完通知は外部ストロボ１２０の充電電圧が発光可能なレベル以上に到達していない旨を示す通知である。なお、不図示の充電完了通知ランプを消灯することにより、ユーザへストロボの発光制御を伴う撮影が不可能であることを通知してもよい。次いで、ストロボＭＰＵ２０１はストロボヘッド部２００ｂの目標ヘッド角度である目標バウンス角度が設定されているか否かを判別する（ステップＳ７１３）。目標バウンス角度としてデフォルト値以外が設定されている場合、ステップＳ７１４へ進み、目標バウンス角度としてデフォルト値が設定されている場合、ステップＳ７１５へ進む。続くステップＳ７１４では、ストロボヘッド部２００ｂを目標バウンス角度へ向けて駆動するバウンス復帰駆動処理を行い、ステップＳ７１５では、ストロボヘッド部２００ｂをデフォルト角度へ向けて駆動するバウンス復帰駆動処理を行う。なお、デフォルト値では、ヘッド角度が垂直方向に関して０度、且つ水平方向に関して０度となる。次いで、ストロボＭＰＵ２０１はカメラＭＰＵ１０１へストロボ充完通知を送信する（ステップＳ７１６）。次いで、ストロボＭＰＵ２０１がプリ発光の指示又はメイン発光の指示を受けているか否かを判別する（ステップＳ７１７）。プリ発光の指示及びメイン発光の指示のいずれも受けていない場合、ステップＳ７０１へ戻り、プリ発光の指示又はメイン発光の指示を受けている場合、当該指示に従ってストロボヘッド部２００ｂの発光部２０２を発光させ、本処理を終了する。
【００４２】
図８は、図７のステップＳ７０４，Ｓ７０６，Ｓ７０９で実行されるオートバウンス駆動制御処理を示すフローチャートである。
【００４３】
例えば、ステップＳ７０９で実行されるオートバウンス駆動制御処理では、まず、ストロボＭＰＵ２０１が、例えば、ステップＳ７０８で算出された最適なバウンス角度と、現在のストロボヘッド部２００ｂのヘッド角度とを比較する（ステップＳ８０１）。最適なバウンス角度と、現在のストロボヘッド部２００ｂのヘッド角度とが一致する場合、本処理を終了する。最適なバウンス角度と、現在のストロボヘッド部２００ｂのヘッド角度とが一致しない場合、ヘッド駆動制御部２０４が不図示のモータを制御し、ストロボヘッド部２００ｂの駆動を開始する（ステップＳ８０２）。次いで、ストロボヘッド部２００ｂの駆動を継続する間、ストロボＭＰＵ２０１は、ステップＳ７０８で算出された最適なバウンス角度と、現在のストロボヘッド部２００ｂのヘッド角度との比較を継続する（ステップＳ８０３）。最適なバウンス角度と、現在のストロボヘッド部２００ｂのヘッド角度とが一致した場合、ステップＳ８０５へ進む。最適なバウンス角度と、現在のストロボヘッド部２００ｂのヘッド角度とが一致していない場合、ステップＳ８０４において、ヘッド駆動制御部２０４によるモータの駆動時間が所定の時間を超えたか否かを判別する。モータの駆動時間が所定の時間を超えていない場合、ステップＳ８０３に戻り、モータの駆動時間が所定の時間を超えた場合、続くステップＳ８０５において、モータを停止させてストロボヘッド部２００ｂの駆動を停止し、本処理を終了する。
【００４４】
なお、ステップＳ８０１及びステップＳ８０３では、ステップＳ７０４で実行されるオートバウンス駆動制御処理の場合、天井の方向と、現在のストロボヘッド部２００ｂのヘッド角度とが比較される。また、ステップＳ７０６で実行されるオートバウンス駆動制御処理の場合、被写体の方向と、現在のストロボヘッド部２００ｂのヘッド角度とが比較される。
【００４５】
図９は、目標バウンス角度設定処理を示すフローチャートである。
【００４６】
図９において、まず、ストロボＭＰＵ２０１がバウンス角度設定スイッチ４０２の操作状態を検知し（ステップＳ９０１）、バウンス角度設定スイッチ４０２がオンである場合、ステップＳ９０２に進む。バウンス角度設定スイッチ４０２がオンでない場合、ステップＳ９０３に進む。続くステップＳ９０２では、ストロボＭＰＵ２０１が現在のストロボヘッド部２００ｂのヘッド角度を取得し、取得した現在のヘッド角度を目標バウンス角度として設定し、本処理を終了する。なお、目標ヘッド角度は垂直方向に関するストロボ本体部２００ａの傾きと、水平方向に関するストロボ本体部２００ａの傾きからなり、ストロボ本体部２００ａの傾きを加味して設定される。ステップＳ９０３では、ストロボＭＰＵ２０１がバウンス角度クリアスイッチ４０３の操作状態を検知し（ステップＳ９０３）、バウンス角度クリアスイッチ４０３がオンである場合、ステップＳ９０４に進む。バウンス角度クリアスイッチ４０３がオンでない場合、本処理を終了する。続くステップＳ９０４では、目標バウンス角度としてデフォルト値を設定し、さらに、バウンス復帰駆動処理を実行し（ステップＳ９０５）、本処理を終了する。
【００４７】
図１０は、図７のステップＳ７１４，Ｓ７１５及び図９のステップＳ９０５で実行されるバウンス復帰駆動処理を示すフローチャートである。
【００４８】
図１０において、まず、ストロボＭＰＵ２０１が、目標バウンス角度と、現在のストロボヘッド部２００ｂのヘッド角度とを比較する（ステップＳ１００１）。目標バウンス角度と、現在のストロボヘッド部２００ｂのヘッド角度とが一致する場合、本処理を終了する。目標バウンス角度と、現在のストロボヘッド部２００ｂのヘッド角度とが一致しない場合、ヘッド駆動制御部２０４が不図示のモータを制御し、ストロボヘッド部２００ｂの駆動を開始する（ステップＳ１００２）。その後、再度、ストロボＭＰＵ２０１が、目標バウンス角度と、現在のストロボヘッド部２００ｂのヘッド角度とを比較する（ステップＳ１００３）。目標バウンス角度と、現在のストロボヘッド部２００ｂのヘッド角度とが一致した場合、ステップＳ１０１０に進む。目標バウンス角度と、現在のストロボヘッド部２００ｂのヘッド角度とが未だ一致していない場合、ステップＳ１００４に進む。ステップＳ１００４では、ステップＳ６０５が実行されてＳＷ２がオンとなってから撮影が開始されるまでの時間Ｔｓ及び撮影が終了されるまでの時間ＴｅをストロボＭＰＵ２０１が受信したか否かを判別する（ステップＳ１００４）。時間Ｔｓ及び時間Ｔｅを受信していない場合、ステップＳ１００９へ進み、時間Ｔｓ及び時間Ｔｅを受信している場合、ステップＳ１００５へ進む。ステップＳ１００５では、残駆動時間Ｔｒが時間Ｔｓより長く且つ時間Ｔｅよりも短いか否かを判別する。残駆動時間Ｔｒは、目標バウンス角度及び現在のストロボヘッド部２００ｂのヘッド角度の差分である残駆動角度を、ストロボヘッド部２００ｂの駆動角速度で除することによって算出される。残駆動時間Ｔｒが時間Ｔｓ以下、又は時間Ｔｅ以上である場合、ステップＳ１００９へ進み、残駆動時間Ｔｒが時間Ｔｓより長く且つ時間Ｔｅよりも短い場合、モータを停止させてストロボヘッド部２００ｂの駆動を停止する（ステップＳ１００６）。次いで、ステップＳ６０５における時間Ｔｓ及び時間Ｔｅの送信の直後に起動される不図示のタイマーが計測する経過時間Ｔｐが時間Ｔｅより長いか否かを判別する（ステップＳ１００７）。
【００４９】
経過時間Ｔｐが時間Ｔｅ以下である場合、ステップＳ１００７に戻り、経過時間Ｔｐが時間Ｔｅより長い場合、ヘッド駆動制御部２０４がモータを制御し、ストロボヘッド部２００ｂの駆動を再び開始する（ステップＳ１００８）。また、ステップＳ１００８では、時間Ｔｓ及び時間Ｔｅが０にリセットされる。これにより、以降、ステップＳ１００４が再度実行されるのを防止する。その後、ストロボヘッド部２００ｂの駆動再開後のモータの駆動時間が所定の時間を超えたか否かを判別する（ステップＳ１００９）。モータの駆動時間が所定の時間を超えていない場合、ステップＳ１００３に戻り、モータの駆動時間が所定の時間を超えた場合、続くステップＳ１０１０において、モータを停止させてストロボヘッド部２００ｂの駆動を停止し、本処理を終了する。
【００５０】
図１０の処理によれば、ＳＷ２がオンとなってから撮影が開始されるまでの時間Ｔｓから時間Ｔｅまでの間、ストロボヘッド部２００ｂの駆動を停止する。これにより、カメラ１００による被写体の撮影の間にモータやストロボヘッド部２００ｂが駆動されて振動が生じ、撮影が失敗するのを防止することができる。
【００５１】
図１１は、本実施の形態に係る撮像装置における自動照射方向制御方法としてのオートバウンス中断制御処理を示すフローチャートである。
【００５２】
図１１の処理は、例えば、図７のステップＳ７０４やステップＳ７０６のオートバウンス駆動制御処理が実行される際に実行される。図１１において、まず、ストロボＭＰＵ２０１がストロボスイッチ操作部２０７の各種スイッチが操作されたか否かを判別する（ステップＳ１１０１）。ストロボスイッチ操作部２０７の各種スイッチが操作されていない場合、ステップＳ１１０１に戻る。ストロボスイッチ操作部２０７の各種スイッチが操作された場合、当該スイッチがオートバウンス駆動制御に関連するスイッチか否かを判別する（ステップＳ１１０２）。本実施の形態において、オートバウンス駆動制御に関連するスイッチには、オートバウンスモード切り替えスイッチ４０１、オートバウンス開始スイッチ４０４及びストロボ電源スイッチ４０５が該当する。これら以外のストロボスイッチ操作部２０７の各種スイッチ、例えば、テスト発光ボタン４０６や調光補正設定スイッチやズーム設定スイッチを兼ねるダイヤルスイッチ４０７はオートバウンス駆動制御に関連しないスイッチに該当する。オートバウンス駆動制御に関連しないスイッチが操作された場合、当該スイッチの操作に対応する制御処理を実行すること無く、当該スイッチの操作を無効として無視し（ステップＳ１１０４）、本処理を終了して実行中のオートバウンス駆動制御処理を継続する。一方、オートバウンスモード切り替えスイッチ４０１が操作された場合、オートバウンス駆動制御処理を中断し（ステップＳ１１０３）、オートバウンス駆動制御処理に関するデータの初期化を行う。さらに、ストロボヘッド部２００ｂを正面（被写体）へ向けて駆動し、本処理を終了する。オートバウンス開始スイッチ４０４が操作された場合、オートバウンス駆動制御処理を中断し（ステップＳ１１０３）、新たなオートバウンス駆動制御処理を実行し、本処理を終了する。ストロボ電源スイッチ４０５が操作された場合、オートバウンス駆動制御処理を中断し（ステップＳ１１０３）、外部ストロボ１２０の電源をオフにし、本処理を終了する。すなわち、オートバウンス駆動制御に関連するスイッチが操作されると、実行中のオートバウンス駆動制御処理を中断し、当該スイッチに対応する制御処理を実行する。
【００５３】
図１１の処理によれば、オートバウンス駆動制御に関連しないスイッチが操作された場合、オートバウンス駆動制御処理の実行が継続（優先）される。オートバウンス駆動制御に関連するスイッチが操作された場合、実行中のオートバウンス駆動制御処理が中断されて当該スイッチに対応する制御が実行（優先）される。これにより、ユーザはオートバウンス駆動制御に関連するスイッチを操作することにより、実行中のオートバウンス駆動制御処理の中断を実現することができる。その結果、ユーザは、オートバウンス駆動制御処理をやり直すために、実行中のオートバウンス駆動制御処理が終了するのを待つ必要が無く、これにより、オートバウンス駆動制御処理の実行時におけるユーザの利便性の低下を防止することができる。また、オートバウンス駆動制御に関連しないスイッチが操作された場合、当該スイッチの操作を無効として当該スイッチの操作に対応する制御処理を実行しない。オートバウンス駆動制御に関連しないスイッチが操作されても当該スイッチの操作に対応する制御処理が実行されないこと経験したユーザは、以降、オートバウンス駆動制御処理の実行中にオートバウンス駆動制御に関連しないスイッチを操作するのを控える。その結果、オートバウンス駆動制御処理の実行中にスイッチの操作に起因してカメラ１００や外部ストロボ１２０が振動するのを抑制することができ、もって、測距精度が低下するのを確実に防止することができる。
【００５４】
以上、本発明の実施の形態について説明したが、本発明は上述した実施の形態に限定されず、その要旨の範囲内で種々の変形例を実現することができる。
【００５５】
例えば、上述した実施の形態において、オートバウンス駆動制御に関連しないスイッチが操作された場合、当該スイッチの操作を無効として無視するだけでなく、当該スイッチの操作が禁止されている旨をディスプレイ４０８に表示してもよい。これにより、ユーザは、オートバウンス駆動制御処理の実行中に当該スイッチの操作が無視されることを理解する。その結果、以降、ユーザがオートバウンス駆動制御処理の実行中にオートバウンス駆動制御に関連しないスイッチの操作を控える可能性を高めることができる。その結果、オートバウンス駆動制御の実行中にカメラ１００や外部ストロボ１２０が振動する可能性を低くすることができる。若しくは、上述した実施の形態において、オートバウンス駆動制御に関連しないスイッチが操作された場合、当該スイッチの操作を無視することなく実行中のオートバウンス駆動制御処理が終了した後に当該スイッチの操作に対応する制御処理を実行してもよい。
【００５６】
また、上述した実施の形態では、本発明を外部ストロボ１２０の駆動制御に適用したが、内部ストロボ１１９が所定の角度へ首振り可能なストロボヘッド部を有すれば、本発明を内部ストロボ１１９の駆動制御に適用してもよい。さらに、カメラ１００に設けられたオートバウンス駆動制御に関連するスイッチの操作に関し、本発明を適用してもよい。この場合、カメラＭＰＵ１０１がスイッチ操作部１１７のスイッチＳＷ１、スイッチＳＷ２や絞り込み開始ボタン１４が押下されたか否かを判別して図１１の処理と同様の処理を実行する。
【００５７】
本発明は、上述の実施の形態の１以上の機能を実現するプログラムを、ネットワークや記憶媒体を介してシステムや装置に供給し、そのシステム又は装置のコンピュータの１つ以上のプロセッサがプログラムを読み出して実行する処理でも実現可能である。また、本発明は、１以上の機能を実現する回路（例えば、ＡＳＩＣ）によっても実現可能である。
【符号の説明】
【００５８】
１００  カメラ
１０１  カメラＭＰＵ
１２０  外部ストロボ
２００ａ  ストロボ本体部
２００ｂ  ストロボヘッド部
２０１  ストロボＭＰＵ
２０７  ストロボスイッチ操作部
４０１  オートバウンスモード切り替えスイッチ
４０２  バウンス角度設定スイッチ
４０３  バウンス角度クリアスイッチ
４０４  オートバウンス開始スイッチ
４０５  ストロボ電源スイッチ
４０６  テスト発光ボタン
４０７  ダイヤルスイッチ
【図１】
2018072425.tif 000003
【図２】
2018072425.tif 000004
【図３】
2018072425.tif 000005
【図４】
2018072425.tif 000006
【図５】
2018072425.tif 000007
【図６】
2018072425.tif 000008
【図７】
2018072425.tif 000009
【図８】
2018072425.tif 000010
【図９】
2018072425.tif 000011
【図１０】
2018072425.tif 000012
【図１１】
2018072425.tif 000013